(57)【特許請求の範囲】
【請求項１】
ＬＥＤ素子が実装されたＬＥＤ基板と、前記ＬＥＤ素子を点灯駆動するための点灯回路を構成する電子部品が実装された点灯ユニットを有するＬＥＤランプ本体と、
前記ＬＥＤランプ本体を、垂直面の被取付部に固定手段により固定するとともに、外部電線を挿通するための電力通孔を有する取付板と、を備え
前記取付板は、上下端部にＬ型辺部を有するコ字状であり、前記Ｌ型辺部を、前記ＬＥＤランプ本体の取付板装着面側の上下端部に形成された延出部に嵌合することにより前記ＬＥＤランプ本体の取付板装着面との間に空間部を形成するものであり、
前記ＬＥＤランプ本体を構成する筐体の内部は、前記ＬＥＤ基板を上面部に配置したＬＥＤ照射部と、前記点灯ユニットの収納部とが中央面部で区画されており、
前記中央面部の前記ＬＥＤ照射部側を光反射面とし、
前記ＬＥＤ照射部は、少なくとも２面方向に拡散照射することを特徴とするＬＥＤ照明装置。
【請求項２】
前記ＬＥＤランプ本体のＬＥＤ照射部は、透光性カバーを有しており、該透光性カバーの下面方向と前面方向に拡散照射することを特徴とする請求項１に記載のＬＥＤ照明装置。
【請求項３】
前記中央面部は、前記ＬＥＤ基板に対して垂直方向に配置されていることを特徴とする請求項１又は請求項２に記載のＬＥＤ照明装置。
【請求項４】
前記ＬＥＤ素子は、前記ＬＥＤ基板の中央部よりも前記中央面部に寄った位置に配置することを特徴とする請求項１〜請求項３のいずれかに記載のＬＥＤ照明装置。
【発明の詳細な説明】
【技術分野】
【０００１】
本発明は、ＬＥＤ素子を光源に使用したＬＥＤ照明装置に関し、特に天板や側壁に直接取り付ける直付型のＬＥＤ照明装置に関するものである。
【背景技術】
【０００２】
近年、環境意識の高まりから、省電力化に優れたＬＥＤ素子を光源に使用した、電源内蔵型の電球型ＬＥＤランプが普及してきた。更に最近は、天井埋め込み型のダウンライトや、天井直付型のシーリングライトにおいても、ＬＥＤ素子を使用した照明装置が開発され、市場に導入されてきている。
【０００３】
天井面や側壁に直接取り付ける直付型のＬＥＤ照明装置は、照明装置のカバーの透光性部材の構成によっては、光が作業者の目に直接照射することになり、作業者は非常にまぶしい思いをしなければならなかった。そこで、作業者の目にやさしく、適切な範囲を照らすことができ、操作のしやすい照明装置が検討されている（例えば、特許文献１等参照）。
【０００４】
この特許文献１に記載されている照明装置は、遮光性部材で覆設した部分が前方への光を遮光し、下方のみに照射するため、照射対象である作業用天板上のみが明るく照らされることになり、周囲との照度差が生じることになるという問題が生じていた。
【先行技術文献】
【特許文献】
【０００５】
【特許文献１】特開２００１−２０２８１９号公報
【発明の概要】
【発明が解決しようとする課題】
【０００６】
本発明が解決しようとする課題は、上記の問題点を解決するために提案されたものであり、照射対象面のみならず周囲も均一に照射することができる、薄型のＬＥＤ照明装置を提供することにある。
【課題を解決するための手段】
【０００７】
上記課題を解決するため、請求項１に記載の発明にあっては、ＬＥＤ素子が実装されたＬＥＤ基板と、前記ＬＥＤ素子を点灯駆動するための点灯回路を構成する電子部品が実装された点灯ユニットを有するＬＥＤランプ本体と、
前記ＬＥＤランプ本体を、垂直面の被取付部に固定手段により固定するとともに、外部電線を挿通するための電力通孔を有する取付板と、を備え
前記取付板は、上下端部にＬ型辺部を有するコ字状であり、前記Ｌ型辺部を、前記ＬＥＤランプ本体の取付板装着面側の上下端部に形成された延出部に嵌合することにより前記ＬＥＤランプ本体の取付板装着面との間に空間部を形成するものであり、
前記ＬＥＤランプ本体を構成する筐体の内部は、前記ＬＥＤ基板を上面部に配置したＬＥＤ照射部と、前記点灯ユニットの収納部とが中央面部で区画されており、
前記中央面部の前記ＬＥＤ照射部側を光反射面とし、
前記ＬＥＤ照射部は、少なくとも２面方向に拡散照射することを特徴とする。
【０００８】
また請求項２に記載の発明にあっては、前記ＬＥＤランプ本体のＬＥＤ照射部は、透光性カバーを有しており、該透光性カバーの下面方向と前面方向に拡散照射することを特徴とする。
【０００９】
また請求項３に記載の発明にあっては、前記中央面部は、前記ＬＥＤ基板に対して垂直方向に配置されていることを特徴とする。
【００１０】
また請求項４に記載の発明にあっては、前記ＬＥＤ素子は、前記ＬＥＤ基板の中央部よりも前記中央面部に寄った位置に配置することを特徴とする。
【発明の効果】
【００１１】
上述した請求項１〜４の発明によれば、被取付部への取り付けを簡単に行うことができ、照射対象面のみならず周囲も均一に照射することができる、薄型のＬＥＤ照明装置を提供することができる。
【図面の簡単な説明】
【００１２】
【図１】本実施形態に係わるＬＥＤ照明装置の外観斜視図
【図２】本実施形態に係わるＬＥＤ照明装置の分解斜視図
【図３】本実施形態に係わるＬＥＤ照明装置の断面図
【図４】本実施形態に係わる取付板の外観斜視図
【図５】本実施形態に係わる筐体の外観斜視図
【図６】本実施形態に係わる点灯ユニットの分解斜視図
【図７】本実施形態に係わるセンサユニットの分解斜視図
【図８】本実施形態に係わるセンサユニットカバーの外観斜視図
【発明を実施するための形態】
【００１３】
以下に本発明をキッチン手元灯に適用した場合の好適な実施の形態について、図面を参照しながら詳細に説明する。なお本実施形態は一例であり、これに限定されるものではない。
【００１４】
図１乃至図３は、本発明のＬＥＤ照明装置１００の実施の形態の一つを示し、この実施形態に係わるＬＥＤ照明装置１００は、図１及至図３に示すように、キッチン付近の天井面や側壁等の被取付部５に取り付けられる取付板１と、この取付板１に固定されるＬＥＤランプ本体２とを備えている。取付板１は、特に側壁等の垂直面にＬＥＤ照明装置を装着するときに使用される。
【００１５】
このＬＥＤ照明装置１００は、図１に示すように、天井面や側壁等の被取付部５の外部電源線（Ｆケーブル）４が出ている直径１５ｍｍの通孔５ａと、取付板１の電力通孔１１を合わせ、この取付板１を被取付部５に下述する固定手段により固定し、その取付板１にＬＥＤランプ本体２を固定する。取付板１にＬＥＤランプ本体２が固定されるときに、ＬＥＤランプ本体２と外部電源線４とが接続され、ＬＥＤ照明装置１００が使用可能となる。取付板１とＬＥＤランプ本体２の固定手段により、被取付部５に直接取付けられた取付板１とＬＥＤランプ本体２の位置関係が、簡単に変更することができる。
【００１６】
（１．取付板）
取付板１は、ステンレス板を使用して、打抜加工、プレス加工、折曲加工によって作成される。取付板１は長方形状で、図４に示すように、長手方向の中心部から一方向に寄った位置に、外部電源線４をＬＥＤランプ本体２に送る円形の電力通孔１１が開口し、長手方向両端部に被取付部５に固定するための固定ネジ６（固定手段）を挿通する１対の取付孔１２が開口している。ここでは、両取付孔１２は互いに向きを変えた長穴となっているが、取付孔１２の一方を、だるま穴とし、固定作業がし易い構造としてもよい。また、取付板１の幅方向の上下端部は同じ方向に曲げて全体がコの字状となるように成型したＬ型辺部１４が形成され、このＬ型辺部１４と同じ方向に延出してＬＥＤランプ本体２を固定させるための１対の固定ボルト１３が予め取付板１に固定されている。
【００１７】
取付板１のＬ型辺部１４は、取付板１を被取付部５に固定するときに、固定用ネジの頭部が、ＬＥＤランプ本体２に当たらないように取付板１の平面部に対して略直角に突出している。これにより、Ｌ型辺部１４とＬＥＤランプ本体２の背面２１ｈで、位置を決められるので、安定した固定が可能となる。一対の固定ボルト１３は、取付板１とＬＥＤランプ本体２を固定するために、取付板１の平面部に対して直角となるように固定されて、ナット（図示せず）と螺合できるようにネジが切られている。
また、取付板１は、ＬＥＤランプ本体２の固定端面より短く作成されており、取付板１にＬＥＤランプ本体２を、位置関係を変えて固定した場合にも、ＬＥＤランプ本体２側から見て、取付板１がＬＥＤランプ本体２に隠れて外部から見えない構造となっている。
【００１８】
（２．ＬＥＤランプ本体）
ＬＥＤランプ本体２は、図１乃至図３に示すように、筐体２１と、筐体２１の内部に収納される外部電源線４が接続されてＬＥＤ素子２３を点灯させる点灯回路を構成する各種電子部品とが実装された点灯基板２７ｅを装備した点灯ユニット２７と、スイッチとセンサ部が設置されているセンサユニット２８と、複数のＬＥＤ素子２３を搭載しているＬＥＤ基板２２と、点灯ユニット２７を覆う点灯ユニットカバー２５と、ＬＥＤ基板２２と筐体２１の開口部を覆う透光性カバー２４とから概略構成されている。
【００１９】
（２．−１筐体）
筐体２１は、図２乃至図３及び図５に示すように、アルミニウムの押出成形による一体成形で作成されている。筐体２１は、長方形の上面部２１ｉと、上面部２１ｉの幅方向一側部から垂直に延出した背面部２１ｈと、背面部２１ｈと対向するように上面部２１ｉの中央部から垂直に延出した中央面部２１ｆ（光反射面部となる）と、上面部２１ｉの幅方向他側部に形成された略コ字状の前端部２１ｄから、概略構成されている。
背面部２１ｋには外部電源線４が挿通する電力供給孔２１ｂが開口されるとともに、上下両端部には外側に延出した延出部２１ｋが形成されている。なお、筐体２１の中央面部２１ｆから前方部がＬＥＤ照射部となり、後方部が点灯ユニット収納部となる。
【００２０】
前記前端部２１ｄと前記延出部２１ｋの頂面部、及び中央面部２１ｆに対応する位置に形成された凸部２１ｊは、ＬＥＤランプ本体２の筐体側の上面部２１ｉより突出させている。これにより、天井面や側壁等の被取付部５に固定するときに、被取付部５の凹凸部分を吸収して、取り付け固定できることが可能となる。また、背面部２１ｈの延出部２１ｋは、取付板１のＬ型辺部１４と嵌合することにより、固定ボルト１３が筐体２１の固定孔２１ａに挿入され、背面部２１ｈの内側でナット等（図示せず）により固定される構造となっている。筐体２１の２つの固定孔２１ａは、筐体２１の長手方向に延伸されており、取付板１とＬＥＤランプ本体２の位置関係が、簡単に変更することができる。
【００２１】
中央面部２１ｆと前端部２１ｄの筐体内部の上面部２１ｉ側には、ＬＥＤ基板２２を装着させるための凹状の基板装着部２１ｅが設けられており、ＬＥＤ基板２２がスライド挿入されて装着される。同様に、中央面部２１ｆと前端部２１ｄの開放端側に、透光性カバー２４を装着させるための凹状の１対の透光性カバー装着部２１ｍが設けられており、透光性カバー２４がスライド挿入されて装着される。また、中央面部２１ｆと背面部２１ｈの開放端側に、点灯ユニットカバー２５とセンサユニットカバー２９を装着させるための１対の凹凸状の装着部２１ｎが設けられており、点灯ユニットカバー２５とセンサユニットカバー２９がスライド挿入されて装着される。
また、ＬＥＤ素子２３の搭載面側の筐体２１の中央面部２１ｆを、光沢面にすることや、高反射シートを貼合することや、高反射用樹脂を塗布することにより、光の反射効率を高め、光取り出し効率を改善することができる。
【００２２】
点灯ユニット２７を収納する筐体２１の上面部２１ｉの内側に、筐体２１の長手方向に並行に凸形状の位置決め部２１ｇ（図３）が設けられており、点灯ユニット２７の凹形状と嵌合させることにより、位置決めを行うことが可能になっている。位置決め部２１ｇは凸形状なので、アルミニウムの厚さが厚いため、位置決め部２１ｇにネジ溝を切って、点灯ユニット２７を固定するネジを直接に位置決め部２１ｇに挿入することによって固定することが可能になっている。同様に、筐体２１の長手方向の両端側面部には、後述する端部カバー２６（図２）が嵌合されるが、この嵌合する部分の複数の箇所にネジを挿入できるようにアルミニウムによる凹部（図示せず）を形成しておくことにより、固定するネジを直接挿入して固定することが可能になっている。これにより、簡単に嵌め込むことができ作業性が向上し、工数とネジ挿入部を設けるコストを削減することが可能である。
【００２３】
筐体２１の背面部２１ｈの延出部２１ｋの間に取付板１のＬ型辺部１４を嵌め込んだ状態で、図３に示すように筐体背面部２１ｈと取付板１の間に空間部２１ｏが形成されることになる。この空間部２１ｏを利用して取付板１と被取付部５との固定ネジ６による固定が可能となり、空間部２１ｏには固定ネジ６の頭部が配置された状態となる。また点灯ユニット２７やＬＥＤ素子の発熱を、筐体２１を通じてその空間部２１ｏから放熱することができる。
【００２４】
（２．−２ＬＥＤ基板）
ＬＥＤ基板２２は、図２乃至図３に示すように、長方形の形状であり、筐体２１の基板装着部２１ｅにスライドに挿入されて、固定されている。これにより、ＬＥＤ基板２２が、筐体２１に接触しているので、ＬＥＤ素子２３の発熱を放熱することが可能である。ＬＥＤ基板２２の下面部にはＬＥＤ素子２３が実装されている。この実施形態では、ＬＥＤ素子２３はＬＥＤ基板２２の幅方向中央部よりも中央面部２１ｆに寄った位置であって、ＬＥＤ基板長手方向に沿って１列で整列されて配置されている。ＬＥＤ基板２２の長手方向一方端には接続端子が設けられ、点灯ユニット２７と電気的に接続されている。このとき、ＬＥＤ基板２２は、筐体２１の基板装着部２１ｅと接しているので、ＬＥＤ素子２３から発生する熱をＬＥＤ基板２２を通じて筐体２１で放熱することができる。
【００２５】
これにより、ＬＥＤ素子２３からは所定の照射角でＬＥＤ光が透光性カバー２４の下方に向けて照射され、その一部は中央面部２１ｆで反射して透光性カバー２４の前面方向にも拡散され、このようにして透光性カバー２４の下面方向と前面方向を含めた全体が均一に照射されることになる。なお、ＬＥＤ素子２３の配置はこの実施形態に限定されるものではなく、透光性カバー２４から少なくとも２面方向に均一に照射できるのであれば、ＬＥＤ素子２３の配置は任意である。また、ＬＥＤ基板２２と筐体２２の内面部の間には絶縁シート等を介装してもよい。
【００２６】
また、ＬＥＤ素子２３の搭載面側に、高反射シートを貼合することや、高反射用樹脂を塗布することにより、光取り出し効率を改善することができる。
なお、このＬＥＤ基板２２に実装されるＬＥＤ素子２３としては、公知の種々のＬＥＤ素子や有機ＥＬ素子等を用いることができる。図示の実施の形態では、照明用の白色光を発光する高輝度タイプのＬＥＤ素子が用いられている。
【００２７】
（２．−３透光性カバー）
透光性カバー２４は、ポリカーボネートを使用して、略湾曲Ｌ字型の形状に成型されている。図２乃至図３に示すように、透光性カバー２４は、筐体２１の前端部２１ｄと中央面部２１ｆの端部に設けられた透光性カバー装着部２１ｍに、長手方向の端辺部をスライド挿入されて装着される。また、透光性カバー２４の長手方向の両側面部は端部カバー２６により嵌合されて固定されている。
【００２８】
この透光性カバー２４は、図２乃至図３に示すように、透光性カバー２４を連続した曲面形状にすることや、透光性カバー２４に高密度となる光拡散面を形成するシボ加工を施したり、材料に拡散剤を含有させたりして、均一に照射することができる。また、透光性カバー２４で反射された光が拡散反射され、さらに、筐体２１の中央面部２１ｆでも反射され、これが繰り返されて透光性カバー２４の全面を光らせることができ、光源として均一に光を照射している。
このことにより、透光性カバー２４の全面において、ＬＥＤ素子からの光を均一に照射することが可能となっている。
【００２９】
（２．−４点灯ユニット）
点灯ユニット２７は、図２乃至図３及び図６に示すように、筐体２１の上面部２１ｉ内側において、位置決め部２１ｇに嵌合して設置されている。点灯ユニット２７は、ＬＥＤ素子２３を点灯させるための点灯回路２７ｄとそれを保護している絶縁カバー２７ｃと金属カバー２７ａから構成されている。点灯回路２７ｄは、各種電子部品２７ｆを搭載した点灯基板２７ｅからなり、外部電源線４と接続されている。点灯回路２７ｄは、筐体２１と絶縁するために、ポリカーボネイト製の絶縁カバー２７ｃによって覆われている。点灯回路２７ｄを構成する電子部品２７ｆは、過電流保護、ノイズカット、整流、平滑、調光制御などを行うための各種ダイオード、コンデンサー、ＩＣ、抵抗などの公知の電子部品である。２７ｉは電源端子台である。
【００３０】
さらに、絶縁カバー２７ｃは、外部に不要なノイズを遮断するための金属カバー２７ａにより覆われている。金属カバー２７ａの延出部２７ｂの底面部に形成された凹形状部２７ｈ（図６）を、筐体２１の位置決め部２１ｇに嵌合して、金属カバー２７ａの上面部の長手方向両端から延出しているＬ字状の金属延出部２７ｂを、ネジ等により筐体２１の位置決め部２１ｇに固定する。金属延出部２７ｂを筐体２１に固定するときに、点灯ユニット２７からのグランド線を一緒に、筐体２１に固定する。これにより、点灯ユニット２７から発生するノイズを減衰させることが可能となる。金属カバー２７ａと絶縁カバー２７ｃの長さ方向の一端面部には外部電源線４を挿入する取出穴２７ｇと挿入孔２７ｊが開口されている。
【００３１】
また、点灯ユニット２７の筐体２１への固定方法としては、上記のネジによる固定方法のほかに、点灯ユニット２７を筐体２１にスライドで挿入させて、筐体２１の背面部２１ｈとの間に、ばねを配置して固定することも可能である。
【００３２】
（２．−５点灯ユニットカバー）
点灯ユニットカバー２５は、ポリカーボネートを使用して、長方形の形状に成型されている。図２乃至図３に示すように、筐体２１に固定された点灯ユニット２７を覆うように、筐体２１の背面部２１ｈと中央面部２１ｆの間に、点灯ユニットカバー２５を撓ませて挿入して装着させる。これにより、外部より点灯ユニット２７と、その配線が見えなくすることが、可能となる。
【００３３】
（２．−６センサユニット）
センサユニット２８は、図２及び図７に示すように、一方が開放されて、ポリカーボネートを使用して作成されている長方体形状のセンサカバー部材２８ａに、センサ基板２８ｃを挟み込んで固定している。センサカバー部材２８ａには、外部からの光を透過するセンサ窓２８ｉと、スライドスイッチ２８ｆの操作部を外部に出すためのスライドスイッチ窓２８ｊと、スイッチ２９ａの端子との絶縁を図るためのスイッチ絶縁部２８ｋが、設けられている。センサ基板２８ｃの表面には、ＬＥＤ２８ｄと受光素子２８ｅとスライドスイッチ２８ｆとセンサ接続端子２８ｇが搭載され、センサ基板２８ｃの裏面には、電子部品２８ｈ（詳細な図示は省略する）が搭載されている。また、ＬＥＤ２８ｄの光が、受光素子２８ｅに漏れて誤動作しないように、黒のシリコンにより作成されたセンサ保護カバー２８ｂによりＬＥＤ２８ｄと受光素子２８ｅを隔てている。センサ基板２８ｃには、センサ接続端子２８ｇが設けられ、点灯ユニット２７と電気的に接続されている。
【００３４】
ＬＥＤ２８ｄから出力された光は、センサ窓２８ｉを透して外部に出力され、外部で手等の反射物で反射された光が再度センサ窓２８ｉを透して受光素子２８ｅに入力されて、センサ基板２８ｃで反射を判断される。これにより、ＬＥＤランプ本体２のＯＮ／ＯＦＦを制御する構成となっている。スライドスイッチ２８ｆは、３つの設定ができるスイッチで、本実施形態では３モードで用いている。第１のモードは、ＯＦＦ（センサによる制御はしない）で、第２のモードは、ＯＮ（センサによる制御はするが、センサ検出距離は短い）で、第３のモードは、ＯＮ（センサによる制御はするが、センサ検出距離は長い）としている。
【００３５】
（２．−７センサユニットカバー）
センサユニットカバー２９は、図２及び図８に示すように、長方形の形状に成型されている。センサユニットカバー２９にセンサユニット２８のセンサカバー部材２８ａが固定され、センサユニットカバー２９が、筐体２１の背面部２１ｈと中央面部２１ｆの間を、スライドにより挿入される。これにより、外部よりセンサユニット２８が見えなくすることが、可能となる。
センサユニットカバー２９には、ＬＥＤランプ本体２をＯＮ／ＯＦＦするスイッチ２９ａと、センサ窓２８ｉと対応するセンサ開口部２９ｂと、スライドスイッチ２９ｆに対応する開口部２９ｃが設けられている。
【００３６】
（２．−８端部カバー）
端部カバー２６は、図２乃至図３に示すように、一対で、筐体２１の両端を覆いＬＥＤランプ本体２を構成するものである。端部カバー２６は、筐体２１とＬＥＤ基板２２と透光性カバー２４と点灯ユニットカバー２５の各端面と嵌合させて覆い、ネジにより筐体２１に固定されている。これにより、ＬＥＤランプ本体２は、取り付けるときに使用する点灯ユニットカバー２５以外は、固定される構造となり、ＬＥＤランプ本体２に、粉塵や虫等が侵入するのを防ぐ効果も併せて生じさせることができる。
【００３７】
（３．動作）
本発明のＬＥＤ照明装置１００の取付方法と操作方法について、説明する。まず、取付板１を、外部電源線４を電力通孔１１に挿通し、取付孔１２に取付ネジ６を挿入して、被取付部５に固定する。次に、ＬＥＤランプ本体２の点灯ユニットカバー２５を外して、電力供給孔２１ｂに、外部電源線４を挿通して、点灯ユニット２７と接続する。取付板１の固定ボルト１３に、ＬＥＤランプ本体２の固定孔２１ａを挿入し、ナット（図示せず）によりＬＥＤランプ本体２を取付板１に固定する。このときに、取付板１とＬＥＤランプ本体２の、位置関係を最適に調整することができる。その後、点灯ユニットカバー２５を筐体２１に嵌め込み、ＬＥＤ照明装置１００の取付が完了する。
センサユニットカバー２９のスイッチ２９ａにより、ＬＥＤ照明装置１００のＯＮ／ＯＦＦ操作を行う。また、センサユニットカバー２９のスライドスイッチ開口部２９ｃから操作するスライドスイッチ２８ｆにより、センサの検出モードを切換えることができる。センサによる検出モードをＯＮにすることにより、ＬＥＤ２８ｄからの光がセンサカバー部材２８ａを透過して、センサユニットカバー２９のセンサ開口部２９ｂから照射される。照射された光が、手等により反射してセンサユニットカバー２９のセンサ開口部２９ｂから、センサカバー部材２８ａを透過して受光素子２８ｅに入力される。入力された光の強さにより、ＬＥＤ照明装置１００のＯＮ／ＯＦＦ操作が行われる。
【００３８】
（４．その他）
本発明のＬＥＤ照明装置１００は、取付板１を用いて側壁面（垂直面又は垂直面に近い斜面を含む）の被取付部５に固定する形態について説明したが、図２に示すように、筐体２１の上面部２１ｉに電力供給孔２１ｂを開口し、上面部２１ｉの長手方向の複数個所に直付ネジ穴２１ｃ（一方をだるま穴とすると取り付け作業が便利である）を形成することにより、天井壁（水平壁）等に直接被取付部に取り付けることが可能となる。これにより、使用者が用途に合わせて、ＬＥＤ照明装置１００の取付場所を自由に選択できるように設定されている。
【００３９】
以上のように、本実施形態では、被取付部に固定され、ＬＥＤランプ本体を装着する取付板とを備え、取付板とＬＥＤランプ本体は固定手段により固定可能である構造である。これらによって、被取付部に直接取付けられた取付板とＬＥＤランプ本体の位置関係が、簡単に変更することができるとともに、薄型化ができるＬＥＤ照明装置を提供し、良好な意匠性を示している。
【００４０】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なし得る各種変形、修正もまた本発明に含まれる。
【産業上の利用可能性】
【００４１】
本発明は、キッチンやクローゼット、更に、流し台、棚下等の天板や壁側面等に沿って設置されるＬＥＤ照明装置として、広く適用することができる。
【符号の説明】
【００４２】
１：取付板
１１：電力通孔
１２：取付孔
１３：固定ボルト
１４：Ｌ型辺部
２：ＬＥＤランプ本体
２１：筐体
２１ａ：固定孔
２１ｂ：電力供給孔
２１ｃ：直付ネジ穴
２１ｄ：前端部
２１ｅ：基板装着部
２１ｆ：中央面部
２１ｇ：位置決め部
２１ｈ：背面部
２１ｉ：上面部
２１ｊ：凸部
２１ｋ：延出部
２１ｍ：透光性カバー装着部
２１ｎ：装着部
２１ｏ：空間部
２２：ＬＥＤ基板 
２３：ＬＥＤ素子
２４：透光性カバー
２５：点灯ユニットカバー
２６：端部カバー
２７：点灯ユニット
２７ａ：金属カバー
２７ｂ：金属延出部
２７ｃ：絶縁カバー
２７ｄ：点灯回路
２７ｅ：点灯基板
２７ｆ：電子部品
２７ｇ：取出穴
２７ｈ：凹形状部
２７ｉ：電源端子台
２７ｊ：挿入孔
２８：センサユニット
２８ａ：センサカバー部材
２８ｂ：センサ保護カバー
２８ｃ：センサ基板
２８ｄ：ＬＥＤ
２８ｅ：受光素子
２８ｆ：スライドスイッチ
２８ｇ：センサ接続端子
２８ｈ：電子部品
２８ｉ：センサ窓
２８ｊ：スライドスイッチ窓
２８ｋ：スイッチ絶縁部
２９：センサユニットカバー
２９ａ：スイッチ
２９ｂ：センサ開口部
２９ｃ：スライドスイッチ開口部
４： 外部電源線
５： 被取付部
５ａ：通孔
６：固定ネジ（固定手段）
１００：ＬＥＤ照明装置
【要約】
【課題】照射対象面のみならず周囲も均一に照射することができる、薄型のＬＥＤ照明装置を提供する。
【解決手段】ＬＥＤ素子２３が実装されたＬＥＤ基板２２と、ＬＥＤ素子２３を点灯駆動するための点灯回路を構成する電子部品が実装された点灯ユニット２７を有するＬＥＤランプ本体２と、ＬＥＤランプ本体２を、垂直面の被取付部に装着可能とする取付板１とを備えている。取付板１は固定手段６により前記被取付部に固定される。ＬＥＤランプ本体２のＬＥＤ照射部は透光性カバー２４を有しており、透光性カバー２４の下面方向と前面方向に拡散照射する。ＬＥＤランプ本体２のＬＥＤ照射部は、ＬＥＤランプ本体２の前方部に有しており、ＬＥＤランプ本体の背面部２１ｈが取付板１に装着可能となっている。
【選択図】図３【図１】
0005479642.tif 000002
【図２】
0005479642.tif 000003
【図３】
0005479642.tif 000004
【図４】
0005479642.tif 000005
【図５】
0005479642.tif 000006
【図６】
0005479642.tif 000007
【図７】
0005479642.tif 000008
【図８】
0005479642.tif 000009